(57)【要約】【課題】装置構成を大規模なものにすることなく、倍速画像と３Ｄ画像とを切り替えて出力する。【解決手段】動きベクトルを検出する動きベクトル検出部１３と、補間フレーム信号を生成する補間フレーム生成部１４と、信号パターンを検出するパターン検出部１５と、シフト量を決定するシフト量決定部１６と、シフト画像信号を記憶するシフトレジスタ１７と、倍速モード及び２Ｄ／３Ｄモードのいずれが選択されたかを判定するモード選択判定部２２ａと、フレームメモリ１９と、倍速モードが選択された場合、第１のフレーム画像信号と第２のフレーム画像信号との間に１以上の補間フレーム信号を出力させるようにフレームメモリに記憶させると共に、２Ｄ／３Ｄモードが選択された場合、第１のフレーム画像信号とシフト画像信号とを交互に出力させるようにシフト画像信号をフレームメモリに記憶させる選択処理部１８とを備える。【選択図】      図１
2011039475.tif 000002
【特許請求の範囲】
【請求項１】
入力された第１のフレーム画像信号を記憶して、１フレーム期間遅延した第２のフレーム画像信号を出力する第１のフレームメモリと、
前記第１のフレーム画像信号と、前記第２のフレーム画像信号との差分により動きベクトルを検出する動きベクトル検出手段と、
前記動きベクトル検出手段により検出された動きベクトルと、前記第１のフレーム画像信号と、前記第２のフレーム画像信号のうち少なくとも一方のフレーム画像信号に基づいて、時系列的に前記第１のフレーム画像信号と前記第２のフレーム画像信号との間の画像信号である１以上の補間フレーム信号を生成する補間フレーム生成手段と、
前記第１のフレーム画像信号の特徴を信号パターンとして検出するパターン検出手段と、
前記パターン検出手段によって検出された信号パターンに基づいて、立体画像を表示するために前記第２のフレーム画像信号をシフトさせる量を決定するシフト量決定手段と、
前記シフト量決定手段によって決定されたシフト量に応じて、前記第１のフレーム画像信号を主走査方向又は副走査方向の少なくとも一方にシフトさせてシフト画像信号として記憶するシフトレジスタと、
外部入力に基づいて、前記第１のフレーム画像信号のフレームレートを倍速にして出力する倍速モード及び前記第１のフレーム画像信号を立体画像信号に変換して出力する２Ｄ／３Ｄモードのいずれが選択されたかを判定するモード選択判定手段と、
前記１以上の補間フレーム信号又は前記シフト画像信号と、前記第１のフレーム画像信号とを記憶する第２のフレームメモリと、
前記モード選択判定手段により倍速モードが選択されたと判定した場合、前記第１のフレーム画像信号と前記第２のフレーム画像信号との間に前記補間フレーム生成手段により生成された１以上の補間フレーム信号を出力させるように、前記１以上の補間フレーム信号を前記第２のフレームメモリに記憶させると共に、前記モード選択判定手段により２Ｄ／３Ｄモードが選択されたと判定した場合、前記第１のフレーム画像信号と前記シフトレジスタに記憶されたシフト画像信号とを交互に出力させるように、前記シフト画像信号を前記第２のフレームメモリに記憶させる選択処理手段と、
を備えたことを特徴とする画像表示装置。
【請求項２】
入力された第１のフレーム画像信号を記憶して、１フレーム期間遅延した第２のフレーム画像信号を出力する第１のフレームメモリと、
前記第１のフレーム画像信号と、前記第２のフレーム画像信号との差分により動きベクトルを検出する動きベクトル検出手段と、
前記第１のフレーム画像信号の特徴を信号パターンとして検出するパターン検出手段と、
前記パターン検出手段によって検出された信号パターンに基づいて、立体画像を表示するために前記第１のフレーム画像信号をシフトさせる量を決定するシフト量決定手段と、
外部入力に基づいて、前記第１のフレーム画像信号のフレームレートを倍速にして出力する倍速モード及び前記第１のフレーム画像信号を立体画像信号に変換して出力する２Ｄ／３Ｄモードのいずれが選択されたかを判定するモード選択判定手段と、
前記モード選択判定手段により倍速モードが選択されたと判定した場合、前記第１のフレームメモリに記憶された前記第２のフレーム画像信号を選択すると共に、前記モード選択判定手段により２Ｄ／３Ｄモードが選択されたと判定した場合、前記第１のフレーム画像信号を選択する第１の選択処理手段と、
前記モード選択判定手段により倍速モードが選択されたと判定した場合、前記動きベクトル検出手段により検出された動きベクトルを選択すると共に、前記モード選択判定手段により２Ｄ／３Ｄモードが選択されたと判定した場合、前記シフト量決定手段により決定されたシフト量を選択する第２の選択処理手段と、
前記モード選択判定手段により倍速モードが選択されたと判定した場合、前記第１の選択処理手段により選択された前記第２のフレーム画像信号と、前記第２の選択処理手段により選択された動きベクトルとを記憶し、前記モード選択判定手段により２Ｄ／３Ｄモードが選択されたと判定した場合、前記第１の選択処理手段により選択された前記第１のフレーム画像信号を主走査方向又は副走査方向の少なくとも一方にシフトさせてシフト画像信号として記憶する第１のシフトレジスタと、
前記モード選択判定手段により倍速モードが選択されたと判定した場合、前記第１のフレーム画像信号を記憶する第２のシフトレジスタと、
前記モード選択判定手段により倍速モードが選択されたと判定した場合、前記動きベクトルと、前記第１のシフトレジスタに記憶された第２のフレーム画像信号と、前記第２のシフトレジスタに記憶された第１のフレーム画像信号のうち少なくとも一方のフレーム画像信号に基づいて、時系列的に前記第１のフレーム画像信号と前記第２のフレーム画像信号との間の画像信号である１以上の補間フレーム信号を生成する補間フレーム生成手段と、
前記１以上の補間フレーム信号又は前記シフト画像信号と、前記第１のフレーム画像信号とを記憶する第２のフレームメモリと、
前記モード選択判定手段により倍速モードが選択されたと判定した場合、前記第１のフレーム画像信号と前記第２のフレーム画像信号との間に前記補間フレーム生成手段により生成された１以上の補間フレーム信号を出力させるように、前記１以上の補間フレーム信号を前記第２のフレームメモリに記憶させると共に、前記モード選択判定手段により２Ｄ／３Ｄモードが選択されたと判定した場合、前記第２のフレーム画像信号と前記第１のシフトレジスタにより記憶されたシフト画像信号とを交互に出力させるように、前記シフト画像信号を第２のフレームメモリに記憶させる第３の選択処理手段と、
を備えたことを特徴とする画像表示装置。
【請求項３】
前記第１のシフトレジスタは、
前記モード選択判定手段により倍速モードが選択されたと判定した場合、前記第１の選択処理手段により選択された前記第２のフレーム画像信号と、前記第２の選択処理手段により選択された動きベクトルとを記憶し、前記モード選択判定手段により２Ｄ／３Ｄモードが選択されたと判定した場合、前記第１の選択処理手段により選択された前記第１のフレーム画像信号を主走査方向又は副走査方向の少なくとも一方にシフトさせて第１のシフト画像信号として記憶し、
前記第２のシフトレジスタは、
前記モード選択判定手段により倍速モードが選択されたと判定した場合、前記第１のフレーム画像信号を記憶し、前記モード選択判定手段により２Ｄ／３Ｄモードが選択されたと判定した場合、供給された前記第１のフレーム画像信号を主走査方向又は副走査方向の少なくとも一方にシフトさせて第２のシフト画像信号として記憶し、
前記第２のフレームメモリは、
前記１以上の補間フレーム信号、又は前記第１のシフト画像信号若しくは第２のシフト画像信号と、前記第１のフレーム画像信号とを記憶し、
前記第３の選択処理手段は、
前記モード選択判定手段により倍速モードが選択されたと判定した場合、前記第１のフレーム画像信号と前記第１のフレーム画像信号との間に前記補間フレーム生成手段により生成された１以上の補間フレーム信号を出力させるように、前記１以上の補間フレーム信号を前記第２のフレームメモリに記憶させると共に、前記モード選択判定手段により２Ｄ／３Ｄモードが選択されたと判定した場合、前記第１のシフトレジスタにより記憶された第１のシフト画像信号と前記第２のシフトレジスタにより記憶された第２のシフト画像信号とを交互に出力させるように、前記第１のシフト画像信号を第２のフレームメモリに記憶させ、
前記モード選択判定手段により倍速モードが選択されたと判定した場合、外部から供給された前記第１のフレーム画像信号を前記第２のフレームメモリに記憶させると共に、前記モード選択判定手段により２Ｄ／３Ｄモードが選択されたと判定した場合、前記第１のシフトレジスタにより記憶された第１のシフト画像信号と前記第２のシフトレジスタにより記憶された第２のシフト画像信号とを交互に出力させるように、前記第２のシフト画像信号を前記第２のフレームメモリに記憶させる第４の選択処理手段を、更に備える
ことを特徴とする請求項２記載の画像表示装置。
【請求項４】
入力された第１のフレーム画像信号を記憶して、１フレーム期間遅延した第２のフレーム画像信号を出力する第１のフレームメモリと、
前記第１のフレーム画像信号と、前記第２のフレーム画像信号との差分により動きベクトルを検出する動きベクトル検出手段と、
前記第１のフレーム画像信号の特徴を信号パターンとして検出するパターン検出手段と、
前記パターン検出手段によって検出された信号パターンに基づいて、立体画像を表示するために前記第１のフレーム画像信号を左目用及び右目用にそれぞれシフトさせるシフト量を決定するシフト量決定手段と、
前記動きベクトル検出手段により検出された動きベクトルと、前記シフト量決定手段により決定された左目用及び右目用のうちいずれか一方のシフト量とを選択すると共に、前記シフト量決定手段により決定された左目用及び右目用のうち他方のシフト量を選択するシフト選択手段と、
前記シフト選択手段により選択された前記一方のシフト量に基づいて、前記第１のフレームメモリにより出力された前記第２のフレーム画像信号を主走査方向又は副走査方向の少なくとも一方向にシフトさせて第２のシフト画像信号として記憶すると共に、前記シフト選択手段により選択された前記動きベクトルを記憶する第１のシフトレジスタと、
前記シフト選択手段により選択された前記一方のシフト量に基づいて、入力された前記第１のフレーム画像信号を主走査方向又は副走査方向の少なくとも一方向にシフトさせた第１のシフト画像信号と、前記シフト選択手段により選択された動きベクトルとを記憶すると共に、前記シフト選択手段により選択された前記他方のシフト量に基づいて、入力された前記第１のフレーム画像信号を主走査方向又は副走査方向の少なくとも一方向にシフトさせた第３のシフト画像信号を記憶する第２のシフトレジスタと、
前記動きベクトルと、前記第１のシフトレジスタに記憶された前記第２のシフト画像信号と前記第２のシフトレジスタに記憶された前記第１のシフト画像信号とのうち少なくとも一方のシフト画像信号に基づいて、時系列的に前記第１のシフト画像信号と前記第２のシフト画像信号との間の画像信号である１以上の補間フレーム信号を生成する補間フレーム生成手段と、
前記１以上の補間フレーム信号と前記第３のシフト画像信号とを記憶する第２のフレームメモリと、
前記第３のシフト画像信号と、この第３のシフト画像信号から１フレーム期間遅延した第４のシフト画像信号との間に前記補間フレーム生成手段により生成された１以上の補間フレーム信号を出力させるように、前記１以上の補間フレーム信号を前記第２のフレームメモリに記憶させる選択処理手段と、
を備えたことを特徴とする画像表示装置。
【請求項５】
前記シフト選択手段は、
外部入力に基づいて、前記第２のシフト画像信号及び前記動きベクトルのうちいずれか一方が前記第１のシフトレジスタに記憶される記憶領域の最大値として最大記憶容量が決定された場合、前記最大記憶容量を越えないように、前記第２のシフト画像信号及び前記動きベクトルのうちいずれか一方を記憶する
ことを特徴とする請求項４記載の画像表示装置。
【請求項６】
前記シフト選択手段は、
外部入力に基づいて、前記第１のシフト画像信号及び前記動きベクトルのうちいずれか一方が前記第２のシフトレジスタに記憶される記憶領域の最大値として最大記憶容量が決定された場合、前記最大記憶容量を越えないように、前記第１のシフト画像信号及び前記動きベクトルのうちいずれか一方を記憶する
ことを特徴とする請求項４記載の画像表示装置。
【発明の詳細な説明】
【技術分野】
【０００１】
本発明は、フレームレートを倍速にして表示する画像と立体（３Ｄ）画像とを切り替えて出力する画像表示装置に関する。
【背景技術】
【０００２】
動きベクトルにより前後のフレーム画像信号から補間フレーム信号を生成し、この補間フレーム信号を用いて映像を倍速表示する処理（以下、倍速処理という）を実行する画像表示装置が提案されている（例えば、特許文献１参照）。
【０００３】
また、平面映像信号（２Ｄ（Dimensions）映像信号）を立体映像信号（３Ｄ映像信号）に変換して表示する処理（以下、２Ｄ／３Ｄ処理という）を実行する方法も提案されている（例えば、特許文献２参照）。
【先行技術文献】
【特許文献】
【０００４】
【特許文献１】特開２００６−９１４１２号公報
【特許文献２】特開平９−１１６９２８号公報
【発明の概要】
【発明が解決しようとする課題】
【０００５】
特許文献１に記載の倍速表示する画像表示装置では、倍速処理を実行するために、前後のフレーム画像信号から補間フレーム信号を生成する必要があり、早い動きに対応させたり補間する動きの間隔を細かくしたりするには、補間元の信号を幅広く保持するためのシフトレジスタが必要となる。また、フレームレートを変換して出力するためのフレームメモリも必要となる。
【０００６】
一方、特許文献２記載の方法では、２Ｄ／３Ｄ処理を実行するためには、左目用の画像と右目用の画像に視差をもたせるため、左右の画像の片方もしくは両方をシフトさせる。そこで、このシフトした画像を記憶するためのシフトレジスタが必要となる。また、２Ｄ／３Ｄ処理後の画像を出力するためのフレームメモリも必要となる。
【０００７】
そこで、これらの倍速処理と２Ｄ／３Ｄ処理とを独立したまま両立させる構成とすると、それぞれの処理に対応してシフトレジスタやフレームメモリ等を備える必要があり、装置構成が大規模なものとなる。
【０００８】
本発明は、上記課題に鑑みてなされたものであり、その目的は、装置構成を大規模なものにすることなく、補間フレームを挿入してフレームレートを倍速にして表示する画像（倍速画像）と３Ｄ画像とを切り替えて出力する画像表示装置を提供することにある。
【課題を解決するための手段】
【０００９】
上記目的を達成するため、本発明に係る画像表示装置の第１の特徴は、入力された第１のフレーム画像信号を記憶して、１フレーム期間遅延した第２のフレーム画像信号を出力する第１のフレームメモリと、前記第１のフレーム画像信号と、前記第２のフレーム画像信号との差分により動きベクトルを検出する動きベクトル検出手段と、前記動きベクトル検出手段により検出された動きベクトルと、前記第１のフレーム画像信号と、前記第２のフレーム画像信号のうち少なくとも一方のフレーム画像信号に基づいて、時系列的に前記第１のフレーム画像信号と前記第２のフレーム画像信号との間の画像信号である１以上の補間フレーム信号を生成する補間フレーム生成手段と、前記第１のフレーム画像信号の特徴を信号パターンとして検出するパターン検出手段と、前記パターン検出手段によって検出された信号パターンに基づいて、立体画像を表示するために前記第２のフレーム画像信号をシフトさせる量を決定するシフト量決定手段と、前記シフト量決定手段によって決定されたシフト量に応じて、前記第１のフレーム画像信号を主走査方向又は副走査方向の少なくとも一方にシフトさせてシフト画像信号として記憶するシフトレジスタと、外部入力に基づいて、前記第１のフレーム画像信号のフレームレートを倍速にして出力する倍速モード及び前記第１のフレーム画像信号を立体画像信号に変換して出力する２Ｄ／３Ｄモードのいずれが選択されたかを判定するモード選択判定手段と、前記１以上の補間フレーム信号又は前記シフト画像信号と、前記第１のフレーム画像信号とを記憶する第２のフレームメモリと、前記モード選択判定手段により倍速モードが選択されたと判定した場合、前記第１のフレーム画像信号と前記第２のフレーム画像信号との間に前記補間フレーム生成手段により生成された１以上の補間フレーム信号を出力させるように、前記１以上の補間フレーム信号を前記第２のフレームメモリに記憶させると共に、前記モード選択判定手段により２Ｄ／３Ｄモードが選択されたと判定した場合、前記第１のフレーム画像信号と前記シフトレジスタに記憶されたシフト画像信号とを交互に出力させるように、前記シフト画像信号を前記第２のフレームメモリに記憶させる選択処理手段とを備えたことにある。
【００１０】
上記目的を達成するため、本発明に係る画像表示装置の第２の特徴は、入力された第１のフレーム画像信号を記憶して、１フレーム期間遅延した第２のフレーム画像信号を出力する第１のフレームメモリと、前記第１のフレーム画像信号と、前記第２のフレーム画像信号との差分により動きベクトルを検出する動きベクトル検出手段と、前記第１のフレーム画像信号の特徴を信号パターンとして検出するパターン検出手段と、前記パターン検出手段によって検出された信号パターンに基づいて、立体画像を表示するために前記第１のフレーム画像信号をシフトさせる量を決定するシフト量決定手段と、外部入力に基づいて、前記第１のフレーム画像信号のフレームレートを倍速にして出力する倍速モード及び前記第１のフレーム画像信号を立体画像信号に変換して出力する２Ｄ／３Ｄモードのいずれが選択されたかを判定するモード選択判定手段と、前記モード選択判定手段により倍速モードが選択されたと判定した場合、前記第１のフレームメモリに記憶された前記第２のフレーム画像信号を選択すると共に、前記モード選択判定手段により２Ｄ／３Ｄモードが選択されたと判定した場合、前記第１のフレーム画像信号を選択する第１の選択処理手段と、前記モード選択判定手段により倍速モードが選択されたと判定した場合、前記動きベクトル検出手段により検出された動きベクトルを選択すると共に、前記モード選択判定手段により２Ｄ／３Ｄモードが選択されたと判定した場合、前記シフト量決定手段により決定されたシフト量を選択する第２の選択処理手段と、前記モード選択判定手段により倍速モードが選択されたと判定した場合、前記第１の選択処理手段により選択された前記第２のフレーム画像信号と、前記第２の選択処理手段により選択された動きベクトルとを記憶し、前記モード選択判定手段により２Ｄ／３Ｄモードが選択されたと判定した場合、前記第１の選択処理手段により選択された前記第１のフレーム画像信号を主走査方向又は副走査方向の少なくとも一方にシフトさせてシフト画像信号として記憶する第１のシフトレジスタと、前記モード選択判定手段により倍速モードが選択されたと判定した場合、前記第１のフレーム画像信号を記憶する第２のシフトレジスタと、前記モード選択判定手段により倍速モードが選択されたと判定した場合、前記動きベクトルと、前記第１のシフトレジスタに記憶された第２のフレーム画像信号と、前記第２のシフトレジスタに記憶された第１のフレーム画像信号のうち少なくとも一方のフレーム画像信号に基づいて、時系列的に前記第１のフレーム画像信号と前記第２のフレーム画像信号との間の画像信号である１以上の補間フレーム信号を生成する補間フレーム生成手段と、前記１以上の補間フレーム信号又は前記シフト画像信号と、前記第１のフレーム画像信号とを記憶する第２のフレームメモリと、前記モード選択判定手段により倍速モードが選択されたと判定した場合、前記第１のフレーム画像信号と前記第２のフレーム画像信号との間に前記補間フレーム生成手段により生成された１以上の補間フレーム信号を出力させるように、前記１以上の補間フレーム信号を前記第２のフレームメモリに記憶させると共に、前記モード選択判定手段により２Ｄ／３Ｄモードが選択されたと判定した場合、前記第２のフレーム画像信号と前記第１のシフトレジスタにより記憶されたシフト画像信号とを交互に出力させるように、前記シフト画像信号を第２のフレームメモリに記憶させる第３の選択処理手段とを備えたことにある。
【００１１】
上記目的を達成するため、本発明に係る画像表示装置の第３の特徴は、前記第１のシフトレジスタは、前記モード選択判定手段により倍速モードが選択されたと判定した場合、前記第１の選択処理手段により選択された前記第２のフレーム画像信号と、前記第２の選択処理手段により選択された動きベクトルとを記憶し、前記モード選択判定手段により２Ｄ／３Ｄモードが選択されたと判定した場合、前記第１の選択処理手段により選択された前記第１のフレーム画像信号を主走査方向又は副走査方向の少なくとも一方にシフトさせて第１のシフト画像信号として記憶し、前記第２のシフトレジスタは、前記モード選択判定手段により倍速モードが選択されたと判定した場合、前記第１のフレーム画像信号を記憶し、前記モード選択判定手段により２Ｄ／３Ｄモードが選択されたと判定した場合、供給された前記第１のフレーム画像信号を主走査方向又は副走査方向の少なくとも一方にシフトさせて第２のシフト画像信号として記憶し、前記第２のフレームメモリは、前記１以上の補間フレーム信号、又は前記第１のシフト画像信号若しくは第２のシフト画像信号と、前記第１のフレーム画像信号とを記憶し、前記第３の選択処理手段は、前記モード選択判定手段により倍速モードが選択されたと判定した場合、前記第１のフレーム画像信号と前記第１のフレーム画像信号との間に前記補間フレーム生成手段により生成された１以上の補間フレーム信号を出力させるように、前記１以上の補間フレーム信号を前記第２のフレームメモリに記憶させると共に、前記モード選択判定手段により２Ｄ／３Ｄモードが選択されたと判定した場合、前記第１のシフトレジスタにより記憶された第１のシフト画像信号と前記第２のシフトレジスタにより記憶された第２のシフト画像信号とを交互に出力させるように、前記第１のシフト画像信号を第２のフレームメモリに記憶させ、前記モード選択判定手段により倍速モードが選択されたと判定した場合、外部から供給された前記第１のフレーム画像信号を前記第２のフレームメモリに記憶させると共に、前記モード選択判定手段により２Ｄ／３Ｄモードが選択されたと判定した場合、前記第１のシフトレジスタにより記憶された第１のシフト画像信号と前記第２のシフトレジスタにより記憶された第２のシフト画像信号とを交互に出力させるように、前記第２のシフト画像信号を前記第２のフレームメモリに記憶させる第４の選択処理手段を、更に備えることにある。
【００１２】
上記目的を達成するため、本発明に係る画像表示装置の第４の特徴は、入力された第１のフレーム画像信号を記憶して、１フレーム期間遅延した第２のフレーム画像信号を出力する第１のフレームメモリと、前記第１のフレーム画像信号と、前記第２のフレーム画像信号との差分により動きベクトルを検出する動きベクトル検出手段と、前記第１のフレーム画像信号の特徴を信号パターンとして検出するパターン検出手段と、前記パターン検出手段によって検出された信号パターンに基づいて、立体画像を表示するために前記第１のフレーム画像信号を左目用及び右目用にそれぞれシフトさせるシフト量を決定するシフト量決定手段と、前記動きベクトル検出手段により検出された動きベクトルと、前記シフト量決定手段により決定された左目用及び右目用のうちいずれか一方のシフト量とを選択すると共に、前記シフト量決定手段により決定された左目用及び右目用のうち他方のシフト量を選択するシフト選択手段と、前記シフト選択手段により選択された前記一方のシフト量に基づいて、前記第１のフレームメモリにより出力された前記第２のフレーム画像信号を主走査方向又は副走査方向の少なくとも一方向にシフトさせて第２のシフト画像信号として記憶すると共に、前記シフト選択手段により選択された前記動きベクトルを記憶する第１のシフトレジスタと、前記シフト選択手段により選択された前記一方のシフト量に基づいて、入力された前記第１のフレーム画像信号を主走査方向又は副走査方向の少なくとも一方向にシフトさせた第１のシフト画像信号と、前記シフト選択手段により選択された動きベクトルとを記憶すると共に、前記シフト選択手段により選択された前記他方のシフト量に基づいて、入力された前記第１のフレーム画像信号を主走査方向又は副走査方向の少なくとも一方向にシフトさせた第３のシフト画像信号を記憶する第２のシフトレジスタと、前記動きベクトルと、前記第１のシフトレジスタに記憶された前記第２のシフト画像信号と前記第２のシフトレジスタに記憶された前記第１のシフト画像信号とのうち少なくとも一方のシフト画像信号に基づいて、時系列的に前記第１のシフト画像信号と前記第２のシフト画像信号との間の画像信号である１以上の補間フレーム信号を生成する補間フレーム生成手段と、前記１以上の補間フレーム信号と前記第３のシフト画像信号とを記憶する第２のフレームメモリと、前記第３のシフト画像信号と、この第３のシフト画像信号から１フレーム期間遅延した第４のシフト画像信号との間に前記補間フレーム生成手段により生成された１以上の補間フレーム信号を出力させるように、前記１以上の補間フレーム信号を前記第２のフレームメモリに記憶させる選択処理手段とを備えたことにある。
【００１３】
上記目的を達成するため、本発明に係る画像表示装置の第５の特徴は、前記シフト選択手段は、外部入力に基づいて、前記第２のシフト画像信号及び前記動きベクトルのうちいずれか一方が前記第１のシフトレジスタに記憶される記憶領域の最大値として最大記憶容量が決定された場合、前記最大記憶容量を越えないように、前記第２のシフト画像信号及び前記動きベクトルのうちいずれか一方を記憶することにある。
【００１４】
上記目的を達成するため、本発明に係る画像表示装置の第６の特徴は、前記シフト選択手段は、外部入力に基づいて、前記第１のシフト画像信号及び前記動きベクトルのうちいずれか一方が前記第２のシフトレジスタに記憶される記憶領域の最大値として最大記憶容量が決定された場合、前記最大記憶容量を越えないように、前記第１のシフト画像信号及び前記動きベクトルのうちいずれか一方を記憶することにある。
【発明の効果】
【００１５】
本発明の画像表示装置によれば、装置構成を大規模なものにすることなく、倍速画像と３Ｄ画像とを切り替えて出力することができる。
【図面の簡単な説明】
【００１６】
【図１】本発明の実施例１である画像表示装置の構成を示した構成図である。
【図２】本発明の実施例１である画像表示装置による倍速処理の処理フローを示したフローチャートである。
【図３】本発明の実施例１である画像表示装置による２Ｄ／３Ｄ処理の処理フローを示したフローチャートである。
【図４】本発明の実施例２である画像表示装置の構成を示した構成図である。
【図５】本発明の実施例２である画像表示装置による倍速処理の処理フローを示したフローチャートである。
【図６】本発明の実施例２である画像表示装置による２Ｄ／３Ｄ処理の処理フローを示したフローチャートである。
【図７】本発明の実施例３である画像表示装置の構成を示した構成図である。
【図８】本発明の実施例４である画像表示装置の構成を示した構成図である。
【図９】本発明の実施例４である画像表示装置による倍速２Ｄ／３Ｄ処理の処理フローを示したフローチャートである。
【図１０】本発明の実施例４である画像表示装置におけるシフト選択部によるシフトレジスタ及びシフトレジスタへの記憶を模式的に示した図である。
【図１１】本発明の実施例４である画像表示装置が備えるシフトレジスタの記憶領域を模式的に説明した図である。
【図１２】本発明の実施例５である画像表示装置の構成を示した構成図である。
【発明を実施するための形態】
【００１７】
以下、本発明の実施の形態について図面を参照して説明する。
【実施例１】
【００１８】
本発明の実施例１では、フレームメモリを共有することにより、倍速画像と３Ｄ画像とを切り替えて、６０Ｈｚの入力画像信号を１２０Ｈｚの出力画像信号として出力する画像表示装置を例に挙げて説明する。
【００１９】
＜画像表示装置の構成＞
図１は、本発明の実施例１である画像表示装置の構成を示した構成図である。なお、図１では、画像信号の流れを実線で示し、制御信号の流れを破線で示している。
【００２０】
画像表示装置１は、入力端子１１と、フレームメモリ１２と、動きベクトル検出部１３と、補間フレーム生成部１４と、パターン検出部１５と、シフト量決定部１６と、シフトレジスタ１７と、選択処理部１８と、フレームメモリ１９と、出力端子２０と、ＣＰＵ２２と、操作部２３とを備える。
【００２１】
入力端子１１は、外部からフレーム画像を入力するための端子である。
【００２２】
フレームメモリ１２は、入力端子１１から供給された第１のフレーム画像信号を記憶して、１フレーム期間遅延した第２のフレーム画像信号を出力する。
【００２３】
動きベクトル検出部１３は、フレームメモリ１２に記憶された１フレーム前のフレーム画像信号である第２のフレーム画像信号と、新たに入力端子１１から供給された第１のフレーム画像信号との差分により動きベクトルを検出する。
【００２４】
補間フレーム生成部１４は、動きベクトル検出部１３により検出された動きベクトルと、フレームメモリ１２に記憶された第２のフレーム画像信号と、入力端子１１から供給された第１のフレーム画像信号の少なくとも一方のフレーム画像信号に基づいて、時系列的に第１のフレーム画像信号と第２のフレーム画像信号との中間の画像信号である補間フレーム信号を生成する。
【００２５】
パターン検出部１５は、第２のフレーム画像信号の特徴を信号パターンとして検出する。
【００２６】
シフト量決定部１６は、パターン検出部１５によって検出された信号パターンに基づいて、立体画像を表示するために第１のフレーム画像信号をシフトさせる量を決定する。
【００２７】
シフトレジスタ１７は、シフト量決定部１６によって決定されたシフト量に応じて、入力端子１１から供給される第１のフレーム画像信号を主走査方向又は副走査方向の少なくとも一方にシフトさせてシフト画像信号として記憶する。
【００２８】
選択処理部１８は、モード選択判定部２２ａにより倍速モードが選択されたと判定した場合、第１のフレーム画像信号と第２のフレーム画像信号との間に補間フレーム生成部１４により生成された補間フレーム信号を出力させるように、補間フレーム信号をフレームメモリ１９に記憶させる。なお、倍速モードとは入力画像信号のフレームレートを倍速にして出力するモードである。
【００２９】
また、選択処理部１８は、モード選択判定部２２ａにより２Ｄ／３Ｄモードが選択されたと判定した場合、第１のフレーム画像信号とシフトレジスタ１７に記憶されたシフト画像信号とを交互に出力させるように、シフト画像信号をフレームメモリ１９に記憶させる。なお、２Ｄ／３Ｄモードとは入力画像信号を立体画像信号に変換して出力するモードである。
【００３０】
フレームメモリ１９は、フレームレートを変更（ここでは、６０Ｈｚ→１２０Ｈｚ）して画像を出力するために備えられたメモリであり、補間フレーム信号又はシフト画像信号と、第１のフレーム画像信号とを記憶する。
【００３１】
出力端子２０は、フレームメモリ１９に記憶された補間フレーム信号又はシフト画像信号と、第１のフレーム画像信号とを、１２０Ｈｚで出力するための出力端子である。
【００３２】
操作部２３は、操作ボタンを備えており、利用者によってこの操作ボタンが押下操作されることによって、例えば、モードを選択するための操作信号を生成し、生成した操作信号をＣＰＵ２２へ供給する。
【００３３】
ＣＰＵ２２は、画像表示装置の中枢的制御を行う。具体的には、上述したフレームメモリ１２と、動きベクトル検出部１３と、補間フレーム生成部１４と、パターン検出部１５と、シフト量決定部１６と、シフトレジスタ１７と、選択処理部１８と、フレームメモリ１９とを制御する。また、操作部２３から供給される操作信号に基づいて、選択処理部１８を切り替えさせる。
【００３４】
また、ＣＰＵ２２は、その機能上、モード選択判定部２２ａを備えており、モード選択判定部２２ａは、利用者による操作部２３の操作に基づいて、倍速モード及び２Ｄ／３Ｄモードのいずれが選択されたかを判定する。
【００３５】
＜画像表示装置の作用＞
本発明の実施例１である画像表示装置１の作用を説明する。
【００３６】
本発明の実施例１である画像表示装置１は、入力端子１１からフレーム画像が供給される度に、倍速処理及び２Ｄ／３Ｄ処理のうちいずれか一方の処理を実行する。そのため、各々の処理について以下に詳細に説明する。
【００３７】
≪倍速処理≫
本発明の実施例１である画像表示装置１による倍速処理について説明する。
【００３８】
図２は、本発明の実施例１である画像表示装置１による倍速処理の処理フローを示したフローチャートである。
【００３９】
図２に示すように、入力端子１１から第１のフレーム画像信号が供給されると、ＣＰＵ２２は、倍速が選択されているか否かを判定する（ステップＳ１０１）。具体的には、利用者による操作部２３の操作に基づいて倍速モードが設定されているか否かを判定する。
【００４０】
ステップＳ１０１において、倍速が選択されていると判定された場合（ＹＥＳの場合）、ＣＰＵ２２の指示に基づいて、入力端子１１から第１のフレーム画像信号が、少なくともフレームメモリ１２と、動きベクトル検出部１３と、補間フレーム生成部１４と、パターン検出部１５と、フレームメモリ１９とに供給される（ステップＳ１０３）。
【００４１】
次に、動きベクトル検出部１３は、フレームメモリ１２に記憶された１フレーム前のフレーム画像信号である第２のフレーム画像信号と、新たに入力端子１１から供給された第１のフレーム画像信号との差分により動きベクトルを検出する（ステップＳ１０５）。
【００４２】
そして、補間フレーム生成部１４は、動きベクトル検出部１３により検出された動きベクトルと、第１のフレーム画像信号と第２のフレーム画像信号のうち少なくとも一方のフレーム画像信号に基づいて、時系列的に第１のフレーム画像信号と第２のフレーム画像信号との中間の画像信号である補間フレーム信号を生成する（ステップＳ１０７）。
【００４３】
次に、選択処理部１８は、第１のフレーム画像信号と第２のフレーム画像信号との間に補間フレーム生成部１４により生成された補間フレーム信号を出力させるように、補間フレーム信号をフレームメモリ１９に記憶させる（ステップＳ１０９）。
【００４４】
そして、ＣＰＵ２２は、順次入力端子１１から供給され、フレームメモリ１９に記憶された第１のフレーム画像信号と、第１のフレーム画像信号または第２のフレーム画像信号に基づいて順次生成され、フレームメモリ１９に記憶された補間フレーム信号とを交互に、１２０（Ｈｚ）で出力端子２０から出力することにより、２倍速の映像を出力する（ステップＳ１１１）。
【００４５】
≪２Ｄ／３Ｄ処理≫
本発明の実施例１である画像表示装置１による２Ｄ／３Ｄ処理について説明する。
【００４６】
図３は、本発明の実施例１である画像表示装置１による２Ｄ／３Ｄ処理の処理フローを示したフローチャートである。
【００４７】
図３に示すように、入力端子１１から第１のフレーム画像信号が供給されると、ＣＰＵ２２は、２Ｄ／３Ｄが選択されているか否かを判定する（ステップＳ２０１）。具体的には、利用者による操作部２３の操作に基づいて２Ｄ／３Ｄモードが設定されているか否かを判定する。
【００４８】
ステップＳ２０１において、２Ｄ／３Ｄが選択されていると判定された場合（ＹＥＳの場合）、ＣＰＵ２２の指示に基づいて、入力端子１１から第１のフレーム画像信号が、少なくともパターン検出部１５と、シフトレジスタ１７と、フレームメモリ１９とに供給される（ステップＳ２０３）。
【００４９】
パターン検出部１５は、入力端子１１から供給された第１のフレーム画像信号の特徴を信号パターンとして検出する（ステップＳ２０５）。具体的には、パターン検出部１５は、奥行きや位置のバランスによって特徴付けられたパターンを予め記憶しており、この予め記憶されたパターンと、入力端子１１から供給された第１のフレーム画像信号とのマッチングをすることにより、第１のフレーム画像信号の特徴を信号パターンとして検出する。
【００５０】
シフト量決定部１６は、パターン検出部１５によって検出された信号パターンに基づいて、立体画像を表示するために、入力端子１１から供給された第１のフレーム画像信号を右目用にシフトさせる量を決定する（ステップＳ２０７）。
【００５１】
シフト量決定部１６は、ステップＳ２０７において決定された右目用のシフト量をシフトレジスタ１７へ供給する（ステップＳ２０９）。
【００５２】
シフトレジスタ１７は、供給された右目用のシフト量に基づいて、入力端子１１から供給された第１のフレーム画像信号に対して、主走査方向又は副走査方向の少なくとも一方にシフトさせて右目用のシフト画像信号を生成する（ステップＳ２１１）。
【００５３】
次に、選択処理部１８は、入力端子１１から供給された第１のフレーム画像信号とシフトレジスタ１７に記憶されたシフト画像信号とを交互に出力させるように、右目用のシフト画像信号をフレームメモリ１９に記憶させる（ステップＳ２１３）。
【００５４】
そして、ＣＰＵ２２は、順次入力端子１１から供給され、フレームメモリ１９に記憶された第１のフレーム画像信号と、第１のフレーム画像信号に基づいて順次生成され、フレームメモリ１９に記憶された右目用のシフト画像信号とを交互に、１２０（Ｈｚ）で出力端子２０から出力することにより、立体映像を出力する（ステップＳ２１５）。
【００５５】
以上のように、本発明の実施例１である画像表示装置１によれば、フレームメモリ１９を共有して、入力端子１１からフレーム画像が供給される度に、倍速処理又は２Ｄ／３Ｄ処理を実行するので、倍速処理及び２Ｄ／３Ｄ処理のそれぞれでフレームメモリ１９を備える必要がない。そのため、装置構成を大規模なものにすることなく、倍速画像と３Ｄ画像とを切り替えて出力することができる。なお、右目用のシフト画像信号を生成する構成として説明したが、どちらかの片目用のシフト画像信号を生成する構成であればよく、左目用のシフト画像信号を生成する構成としてもよいことはいうまでもない。
【実施例２】
【００５６】
本発明の実施例２では、フレームメモリとシフトレジスタとを共有することにより、倍速画像と３Ｄ画像とを切り替えて、６０Ｈｚの入力信号を１２０Ｈｚの出力信号として出力する画像表示装置を例に挙げて説明する。
【００５７】
＜画像表示装置の構成＞
図４は、本発明の実施例２である画像表示装置２の構成を示した構成図である。なお、図４では、画像信号の流れを実線で示し、制御信号の流れを破線で示している。
【００５８】
画像表示装置２は、入力端子１１と、フレームメモリ１２と、動きベクトル検出部１３と、補間フレーム生成部１４と、パターン検出部１５と、シフト量決定部１６と、フレームメモリ１９と、出力端子２０と、ＣＰＵ２２と、操作部２３と、選択処理部２４と、選択処理部２５と、シフトレジスタ２６と、シフトレジスタ２７と、選択処理部２８と、選択処理部２９とを備える。
【００５９】
ここで、本発明の実施例２である画像表示装置２が備える構成のうち、入力端子１１と、フレームメモリ１２と、動きベクトル検出部１３と、補間フレーム生成部１４と、パターン検出部１５と、シフト量決定部１６と、フレームメモリ１９と、出力端子２０と、ＣＰＵ２２と、操作部２３とは、それぞれ本発明の実施例１である画像表示装置１が備えるそれぞれ同一符号が付された構成と同一であるので、説明を省略する。
【００６０】
選択処理部２４は、モード選択判定部２２ａにより倍速モードが選択されたと判定した場合、フレームメモリ１２に記憶された１フレーム前の画像信号である第２のフレーム画像信号を選択すると共に、モード選択判定部２２ａにより２Ｄ／３Ｄモードが選択されたと判定した場合、入力端子１１から供給された第１のフレーム画像信号を選択する。
【００６１】
選択処理部２５は、モード選択判定部２２ａにより倍速モードが選択されたと判定した場合、動きベクトル検出部１３により検出された動きベクトルを選択すると共に、モード選択判定部２２ａにより２Ｄ／３Ｄモードが選択されたと判定した場合、シフト量決定部１６により決定されたシフト量を選択する。
【００６２】
シフトレジスタ２６は、モード選択判定部２２ａにより倍速モードが選択されたと判定した場合、選択処理部２４により選択された第２のフレーム画像信号と、選択処理部２５により選択された動きベクトルとを記憶し、モード選択判定部２２ａにより２Ｄ／３Ｄモードが選択されたと判定した場合、選択処理部２４により選択された第１のフレーム画像信号を主走査方向又は副走査方向の少なくとも一方にシフトさせて第１のシフト画像信号を記憶する。
【００６３】
シフトレジスタ２７は、モード選択判定部２２ａにより倍速モードが選択されたと判定した場合、供給された第１のフレーム画像信号と、選択処理部２５により選択された動きベクトルとを記憶し、モード選択判定部２２ａにより２Ｄ／３Ｄモードが選択されたと判定した場合、供給された第１のフレーム画像信号を主走査方向又は副走査方向の少なくとも一方にシフトさせて第２のシフト画像信号として記憶する。なお、動きベクトルは、シフトレジスタ２６とシフトレジスタ２７のうち、少なくとも一方に記憶される構成であればよい。
【００６４】
選択処理部２９は、モード選択判定部２２ａにより倍速モードが選択されたと判定した場合、時系列的に第１のフレーム画像信号と第２のフレーム画像信号との間に、補間フレーム生成部１４により生成された補間フレーム信号を出力させるように、補間フレーム信号をフレームメモリ１９に記憶させると共に、モード選択判定部２２ａにより２Ｄ／３Ｄモードが選択されたと判定した場合、シフトレジスタ２６により記憶された第１のシフト画像信号とシフトレジスタ２７により記憶された第２のシフト画像信号とを交互に出力させるように、第１のシフト画像信号をフレームメモリ１９に記憶させる。
【００６５】
選択処理部２８は、モード選択判定部２２ａにより倍速モードが選択されたと判定した場合、入力端子１１から供給された第１のフレーム画像信号をフレームメモリ１９に記憶させると共に、モード選択判定部２２ａにより２Ｄ／３Ｄモードが選択されたと判定した場合、シフトレジスタ２６により記憶された第１のシフト画像信号とシフトレジスタ２７により記憶された第２のシフト画像信号とを交互に出力させるように、第２のシフト画像信号をフレームメモリ１９に記憶させる。
【００６６】
＜画像表示装置の作用＞
本発明の実施例２である画像表示装置２の作用を説明する。
【００６７】
本発明の実施例２である画像表示装置２は、入力端子１１からフレーム画像が供給される度に、倍速処理及び２Ｄ／３Ｄ処理のうちいずれか一方の処理を実行する。そのため、各々の処理について以下に詳細に説明する。
【００６８】
≪倍速処理≫
本発明の実施例２である画像表示装置２による倍速処理について説明する。
【００６９】
図５は、本発明の実施例２である画像表示装置２による倍速処理の処理フローを示したフローチャートである。
【００７０】
図５に示すように、入力端子１１から第１のフレーム画像信号が供給されると、ＣＰＵ２２は、倍速が選択されているか否かを判定する（ステップＳ３０１）。具体的には、利用者による操作部２３の操作に基づいて倍速モードが設定されているか否かを判定する。
【００７１】
ステップＳ３０１において、倍速が選択されていると判定された場合（ＹＥＳの場合）、ＣＰＵ２２の指示に基づいて、入力端子１１から供給された第１のフレーム画像信号が、少なくともフレームメモリ１２と、動きベクトル検出部１３と、パターン検出部１５と、選択処理部２４と、シフトレジスタ２７と、選択処理部２８とに供給される（ステップＳ３０３）。
【００７２】
次に、動きベクトル検出部１３は、フレームメモリ１２に記憶された１フレーム前のフレーム画像信号である第２のフレーム画像信号と、新たに入力端子１１から供給された第１のフレーム画像信号との差分により動きベクトルを検出する（ステップＳ３０５）。
【００７３】
次に、選択処理部２４は、フレームメモリ１２に記憶された１フレーム前のフレーム画像信号である第２のフレーム画像信号を選択し、この選択された第２のフレーム画像信号をシフトレジスタ２６に供給する（ステップＳ３０７）。
【００７４】
そして、選択処理部２５は、動きベクトル検出部１３により検出された動きベクトルを選択し、この選択された動きベクトルをシフトレジスタ２６に供給する（ステップＳ３０９）。
【００７５】
次に、補間フレーム生成部１４は、シフトレジスタ２６に記憶された動きベクトルと、シフトレジスタ２６に記憶された第２のフレーム画像信号と、シフトレジスタ２７に記憶された第１のフレーム画像信号のうち少なくとも一方のフレーム画像信号に基づいて、時系列的に第１のフレーム画像信号と第２のフレーム画像信号との中間の画像信号である補間フレーム信号を生成する（ステップＳ３１１）。
【００７６】
そして、選択処理部２９は、第１のフレーム画像信号と第２のフレーム画像信号との間に補間フレーム生成部１４により生成された補間フレーム信号を出力させるように、補間フレーム生成部１４により生成された補間フレーム信号をフレームメモリ１９に記憶させる（ステップＳ３１３）。
【００７７】
そして、ＣＰＵ２２は、順次入力端子１１から供給され、選択処理部２８により選択されて、フレームメモリ１９に記憶された第１のフレーム画像信号と、第１のフレーム画像信号または第２のフレーム画像信号に基づいて順次生成され、フレームメモリ１９に記憶された補間フレーム信号とを交互に、１２０（Ｈｚ）で出力端子２０から出力することにより、２倍速の映像を出力する。
【００７８】
≪２Ｄ／３Ｄ処理≫
本発明の実施例２である画像表示装置２による２Ｄ／３Ｄ処理について説明する。
【００７９】
図６は、本発明の実施例２である画像表示装置２による２Ｄ／３Ｄ処理の処理フローを示したフローチャートである。
【００８０】
図６に示すように、入力端子１１から第１のフレーム画像信号が供給されると、ＣＰＵ２２は、２Ｄ／３Ｄが選択されているか否かを判定する（ステップＳ４０１）。具体的には、利用者による操作部２３の操作に基づいて２Ｄ／３Ｄモードが設定されているか否かを判定する。
【００８１】
ステップＳ４０１において、２Ｄ／３Ｄが選択されていると判定された場合（ＹＥＳの場合）、ＣＰＵ２２の指示に基づいて、入力端子１１から供給された第１のフレーム画像信号が、少なくともパターン検出部１５と、選択処理部２４と、シフトレジスタ２７とに供給される（ステップＳ４０３）。
【００８２】
パターン検出部１５は、入力端子１１から供給された第１のフレーム画像信号の特徴を信号パターンとして検出する（ステップＳ４０５）。
【００８３】
シフト量決定部１６は、パターン検出部１５によって検出された信号パターンに基づいて、立体画像を表示するために、入力端子１１から供給された第１のフレーム画像信号に対して、右目用にシフトさせる量及び左目用にシフトさせる量を決定する（ステップＳ４０７）。
【００８４】
選択処理部２５は、ステップＳ４０７において決定された右目用のシフト量をシフトレジスタ２６へ供給すると共に、左目用のシフト量をシフトレジスタ２７へ供給する（ステップＳ４０９）。
【００８５】
次に、シフトレジスタ２６が、供給された右目用のシフト量に基づいて、選択処理部２４により選択された第１のフレーム画像信号に対して、主走査方向又は副走査方向の少なくとも一方にシフトさせて、第１のシフト画像信号として右目用のシフト画像信号を生成すると共に、シフトレジスタ２７が、供給された左目用のシフト量に基づいて、入力端子１１から供給された第１のフレーム画像信号に対して、主走査方向又は副走査方向の少なくとも一方にシフトさせて、第２のシフト画像信号として左目用のシフト画像信号を生成する（ステップＳ４１１）。
【００８６】
次に、シフトされた右目用のシフト画像信号及び左目用のシフト画像信号を、フレームメモリ１９に記憶させる（ステップＳ４１３）。具体的には、選択処理部２８が、シフトレジスタ２７によりシフトされた左目用のシフト画像信号を、フレームメモリ１９に記憶させると共に、選択処理部２９が、シフトレジスタ２６によりシフトされた右目用のシフト画像信号を、フレームメモリ１９に記憶させる。
【００８７】
そして、ＣＰＵ２２は、第１のフレーム画像信号に基づいて順次生成され、フレームメモリ１９に記憶された右目用のシフト画像信号と左目用のシフト画像信号とを交互に、１２０（Ｈｚ）で出力端子２０から出力することにより、立体映像を出力する。
【００８８】
以上のように、本発明の実施例２である画像表示装置２によれば、シフトレジスタ２６と、シフトレジスタ２７と、フレームメモリ１９とを共有して、入力端子１１からフレーム画像が供給される度に、倍速処理及び２Ｄ／３Ｄ処理のうちいずれか一方の処理を実行するので、倍速処理及び２Ｄ／３Ｄ処理のそれぞれでシフトレジスタ２６と、シフトレジスタ２７と、フレームメモリ１９とを備える必要がない。そのため、本発明の実施例２である画像表示装置２は、装置構成を大規模なものにすることなく、倍速画像と３Ｄ画像とを切り替えて出力することができる。
【００８９】
なお、本発明の実施例２である画像表示装置２では、２Ｄ／３Ｄが選択されていると判定された場合、シフトレジスタ２６が、第１のフレーム画像信号に対して、主走査方向又は副走査方向の少なくとも一方にシフトさせて、第１のシフト画像信号として右目用のシフト画像信号を生成すると共に、シフトレジスタ２７が、第１のフレーム画像信号に対して、主走査方向又は副走査方向の少なくとも一方にシフトさせて、第２のシフト画像信号として左目用のシフト画像信号を生成したが、これに限らず、シフトレジスタ２６でのみ第１のシフト画像信号として右目用のシフト画像信号を生成するようにしてもよい。
【００９０】
この場合、フレームメモリ１９は、２Ｄ／３Ｄが選択されていると判定されると、入力端子１１から供給された第１のフレーム画像信号と、選択処理部２９により供給された右目用のシフト画像信号とを記憶し、ＣＰＵ２２が、右目用のシフト画像信号と第１のフレーム画像信号とを交互に、１２０（Ｈｚ）で出力端子２０から出力することにより、立体映像を出力するようにしてもよい。
【００９１】
これにより、選択処理部２８を構成から省略することができ、装置構成をより小さくすることができる。
【実施例３】
【００９２】
本発明の実施例２では、フレームメモリとシフトレジスタとを共有することにより、２倍速画像と３Ｄ画像とを切り替えて、６０Ｈｚの入力信号を１２０Ｈｚの出力信号として出力する画像表示装置を例に挙げて説明したが、これに限らない。
【００９３】
本発明の実施例３では、フレームメモリとシフトレジスタとを共有することにより、４倍速画像と３Ｄ画像とを切り替えて、６０Ｈｚの入力信号を２４０Ｈｚの出力信号として出力する画像表示装置を例に挙げて説明する。
【００９４】
＜画像表示装置の構成＞
図７は、本発明の実施例３である画像表示装置３の構成を示した構成図である。なお、図７では、画像信号の流れを実線で示し、制御信号の流れを破線で示している。
【００９５】
画像表示装置３は、入力端子１１と、フレームメモリ１２と、動きベクトル検出部１３と、パターン検出部１５と、シフト量決定部１６と、フレームメモリ１９と、出力端子２０と、ＣＰＵ２２と、操作部２３と、選択処理部２４と、選択処理部２５と、シフトレジスタ２６と、シフトレジスタ２７と、選択処理部２８と、補間フレーム生成部３０と、選択処理部３１とを備える。
【００９６】
ここで、本発明の実施例３である画像表示装置３が備える構成のうち、補間フレーム生成部３０と、選択処理部３１以外の構成については、それぞれ本発明の実施例２である画像表示装置２が備えるそれぞれ同一符号が付された構成と同一であるので、説明を省略する。
【００９７】
補間フレーム生成部３０は、動きベクトルと、シフトレジスタ２６に記憶された１フレーム前のフレーム画像信号である第２のフレーム画像信号と、シフトレジスタ２７に記憶された第１のフレーム画像信号のうち少なくとも一方のフレーム画像信号とに基づいて、時系列的に第１のフレーム画像信号と第２のフレーム画像信号との間に位置する画像信号である３つの補間フレーム信号を生成する。
【００９８】
補間フレーム生成部３０は、６０Ｈｚの入力信号を２４０Ｈｚの出力信号として出力するため、補間フレーム生成部３０ａと、補間フレーム生成部３０ｂと、補間フレーム生成部３０ｃとを備えている。
【００９９】
第２のフレーム画像信号が供給された時点をｔ０とし、第１のフレーム画像信号が供給された時点をｔ４とするとし、ｔ０時点からｔ４時点までの時間をＴとすると、補間フレーム生成部３０ａは、第２のフレーム画像信号と第１のフレーム画像信号のうち少なくとも一方のフレーム画像信号に基づいて、ｔ０時点から（１／４）Ｔだけ経過した時点であるｔ１時点における第１の補間フレーム信号を生成する。
【０１００】
同様に、補間フレーム生成部３０ｂは、ｔ０時点から（１／２）Ｔだけ経過した時点であるｔ２時点における第２の補間フレーム信号を生成し、補間フレーム生成部３０ｃは、ｔ０時点から（３／４）Ｔだけ経過した時点であるｔ３時点における第３の補間フレーム信号を生成する。
【０１０１】
選択処理部３１は、モード選択判定部２２ａにより倍速モードが選択されたと判定した場合、第１のフレーム画像信号と第２のフレーム画像信号との間に、補間フレーム生成部３０ａにより生成された第１の補間フレーム信号と、補間フレーム生成部３０ｂにより生成された第２の補間フレーム信号と、補間フレーム生成部３０ｃにより生成された第３の補間フレーム信号とを、第２のフレーム画像信号、第１の補間フレーム信号、第２の補間フレーム信号、第３の補間フレーム信号、第１のフレーム画像信号の順に出力させるように、第１の補間フレーム信号、第２の補間フレーム信号、及び第３の補間フレーム信号をフレームメモリ１９に記憶させる。
【０１０２】
また、選択処理部３１は、モード選択判定部２２ａにより２Ｄ／３Ｄモードが選択されたと判定した場合、シフトレジスタ２６により記憶された第１のシフト画像信号とシフトレジスタ２７により記憶された第２のシフト画像信号とを交互に出力させるように、シフト画像信号をフレームメモリに記憶させる。
【０１０３】
以上のように、本発明の実施例３である画像表示装置３によれば、本発明の実施例２である画像表示装置２による効果に加え、４倍速画像と３Ｄ画像とを切り替えて、６０Ｈｚの入力信号を２４０Ｈｚの出力信号として出力することができる。
【０１０４】
なお、本発明の実施例３では、フレームメモリとシフトレジスタとを共有することにより、４倍速画像と３Ｄ画像とを切り替えて、６０Ｈｚの入力信号を２４０Ｈｚの出力信号として出力する画像表示装置を例に挙げて説明したが、４倍速画像に限らず、何倍でもよい。例えば、Ｎ倍速画像を出力するためには、（Ｎ−１）個の補間フレーム生成部を備える構成とすればよい。
【実施例４】
【０１０５】
本発明の実施例４では、フレームメモリとシフトレジスタとを共有し、６０Ｈｚの入力信号に基づいて生成した２倍速３Ｄ画像を１２０Ｈｚの出力信号として出力する画像表示装置を例に挙げて説明する。
【０１０６】
＜画像表示装置の構成＞
図８は、本発明の実施例４である画像表示装置４の構成を示した構成図である。なお、図８では、画像信号の流れを実線で示し、制御信号の流れを破線で示している。
【０１０７】
画像表示装置４は、入力端子１１と、フレームメモリ１２と、動きベクトル検出部１３と、パターン検出部１５と、シフト量決定部１６と、出力端子２０と、ＣＰＵ２２と、操作部２３と、選択処理部３２と、シフト選択部３３と、シフトレジスタ３４と、シフトレジスタ３５と、補間フレーム生成部３６と、選択処理部３７と、選択処理部３８と、フレームメモリ３９とを備える。
【０１０８】
ここで、本発明の実施例４である画像表示装置４が備える構成のうち、入力端子１１と、フレームメモリ１２と、動きベクトル検出部１３と、パターン検出部１５と、シフト量決定部１６と、出力端子２０と、操作部２３とは、それぞれ本発明の実施例２である画像表示装置２が備えるそれぞれ同一符号が付された構成と同一であるので、説明を省略する。
【０１０９】
ＣＰＵ２２は、画像表示装置４の中枢的制御を行う。具体的には、上述したフレームメモリ１２と、動きベクトル検出部１３と、補間フレーム生成部３６と、パターン検出部１５と、シフト量決定部１６と、フレームメモリ３９と、選択処理部３２と、シフト選択部３３と、シフトレジスタ３４と、シフトレジスタ３５と、選択処理部３７と、選択処理部３８とを制御する。
【０１１０】
また、ＣＰＵ２２は、その機能上、モード選択判定部２２ｂを備えており、モード選択判定部２２ｂは、利用者による操作部２３の操作に基づいて、倍速モード、２Ｄ／３Ｄモード、及び倍速２Ｄ／３Ｄモードのうちいずれが選択されたかを判定する。
【０１１１】
選択処理部３２は、フレームメモリ１２に記憶された第２のフレーム画像信号をシフトレジスタ３４へ供給する。
【０１１２】
シフト選択部３３は、動きベクトル検出部１３により検出された動きベクトルと、シフト量決定部１６により決定された左目用及び右目用のうちいずれか一方のシフト量とを選択すると共に、シフト量決定部１６により決定された左目用及び右目用のうち他方のシフト量を選択する。
【０１１３】
シフトレジスタ３４は、シフト選択部３３により選択された一方のシフト量に基づいて、フレームメモリ１２により出力された第２のフレーム画像信号を主走査方向又は副走査方向の少なくとも一方向にシフトさせて第２のシフト画像信号として記憶すると共に、シフト選択部３３により選択された動きベクトルを記憶する。
【０１１４】
シフトレジスタ３５は、シフト選択部３３により選択された一方のシフト量に基づいて、入力された第１のフレーム画像信号を主走査方向又は副走査方向の少なくとも一方向にシフトさせた第１のシフト画像信号と、シフト選択部３３により選択された動きベクトルとを記憶すると共に、シフト選択部３３により選択された他方のシフト量に基づいて、入力された第１のフレーム画像信号を主走査方向又は副走査方向の少なくとも一方向にシフトさせた第３のシフト画像信号を記憶する。
【０１１５】
補間フレーム生成部３６は、動きベクトルと、シフトレジスタ３４に記憶された第２のシフト画像信号とシフトレジスタ３５に記憶された第１のシフト画像信号とのうち少なくとも一方のシフト画像信号に基づいて、時系列的に第１のシフト画像信号と第２のシフト画像信号との間の画像信号である１以上の補間フレーム信号を生成する。
【０１１６】
選択処理部３７は、シフトレジスタ３５に記憶された第３のシフト画像信号をフレームメモリ３９へ供給する。
【０１１７】
選択処理部３８は、第３のシフト画像信号と、この第３のシフト画像信号から１フレーム期間遅延した第４のシフト画像信号との間に補間フレーム生成部３６により生成された１以上の補間フレーム信号を出力させるように、１以上の補間フレーム信号をフレームメモリ３９に記憶させる。
【０１１８】
フレームメモリ３９は、１以上の補間フレーム信号と第３のシフト画像信号とを記憶する。
【０１１９】
＜画像表示装置の作用＞
本発明の実施例４である画像表示装置４の作用を説明する。
【０１２０】
本発明の実施例４である画像表示装置４は、入力端子１１からフレーム画像が供給される度に、倍速２Ｄ／３Ｄ処理を実行する。なお、倍速処理及び２Ｄ／３Ｄ処理については、本発明の実施例２である画像表示装置２における倍速処理及び２Ｄ／３Ｄ処理と同一であるので、説明を省略する。
【０１２１】
≪倍速２Ｄ／３Ｄ処理≫
本発明の実施例４である画像表示装置４による倍速２Ｄ／３Ｄ処理について説明する。
【０１２２】
図９は、本発明の実施例４である画像表示装置４による倍速２Ｄ／３Ｄ処理の処理フローを示したフローチャートである。
【０１２３】
図９に示すように、入力端子１１から第１のフレーム画像信号が供給されると、ＣＰＵ２２は、倍速２Ｄ／３Ｄが選択されているか否かを判定する（ステップＳ５０１）。具体的には、利用者による操作部２３の操作に基づいて倍速２Ｄ／３Ｄモードが設定されているか否かを判定する。
【０１２４】
ステップＳ５０１において、倍速２Ｄ／３Ｄが選択されていると判定された場合（ＹＥＳの場合）、ＣＰＵ２２の指示に基づいて、入力端子１１から供給された第１のフレーム画像信号が、少なくともフレームメモリ１２と、動きベクトル検出部１３と、パターン検出部１５と、シフトレジスタ３５とに供給される（ステップＳ５０３）。
【０１２５】
次に、動きベクトル検出部１３は、フレームメモリ１２に記憶された１フレーム前のフレーム画像信号である第２のフレーム画像信号と、新たに入力端子１１から供給された第１のフレーム画像信号との差分により動きベクトルを検出する（ステップＳ５０５）。
【０１２６】
次に、パターン検出部１５は、入力端子１１から供給された第１のフレーム画像信号の特徴を信号パターンとして検出する（ステップＳ５０７）。
【０１２７】
シフト量決定部１６は、パターン検出部１５によって検出された信号パターンに基づいて、立体画像を表示するために、入力端子１１から供給された第１のフレーム画像信号に対して、右目用にシフトさせる量及び左目用にシフトさせる量を決定する（ステップＳ５０９）。
【０１２８】
そして、シフト選択部３３は、動きベクトル検出部１３により検出された動きベクトルと、シフト量決定部１６により決定された右目用のシフト量とを選択し、シフトレジスタ３４と、シフトレジスタ３５とに供給すると共に、シフト量決定部１６により決定された左目用のシフト量を選択し、シフトレジスタ３５に供給する（ステップＳ５１１）。
【０１２９】
次に、シフトレジスタ３５は、シフト選択部３３により選択された右目用のシフト量に基づいて、入力端子１１から入力された第１のフレーム画像信号を主走査方向又は副走査方向の少なくとも一方向にシフトさせて第１のシフト画像信号（右目用のシフト画像信号）を生成し、生成した第１のシフト画像信号とシフト選択部３３により選択された動きベクトルとを補間フレーム生成部３６へ供給する（ステップＳ５１３）。
【０１３０】
さらに、シフトレジスタ３５は、シフト選択部３３により選択された左目用のシフト量に基づいて、入力端子１１から入力された第１のフレーム画像信号を主走査方向又は副走査方向の少なくとも一方向にシフトさせた第３のシフト画像信号（左目用のシフト画像信号）を生成し、生成した第３のシフト画像信号を選択処理部３７へ供給する（ステップＳ５１５）。
【０１３１】
次に、選択処理部３７は、ステップＳ５１５において供給された第３のシフト画像信号をフレームメモリ３９に記憶させる（ステップＳ５１７）。
【０１３２】
次に、シフトレジスタ３４は、シフト選択部３３により選択された右目用のシフト量に基づいて、フレームメモリ１２により出力された第２のフレーム画像信号を主走査方向又は副走査方向の少なくとも一方向にシフトさせて第２のシフト画像信号（右目用のシフト画像信号）を生成し、この生成された第２のシフト画像信号とシフト選択部３３により選択された動きベクトルとを補間フレーム生成部３６へ供給する（ステップＳ５１９）。
【０１３３】
そして、補間フレーム生成部３６は、シフトレジスタ３４に記憶された第２のシフト画像信号と、シフトレジスタ３５に記憶された第１のシフト画像信号とのうち少なくとも一方のシフト画像信号と、動きベクトルとに基づいて、時系列的に第１のシフト画像信号と第２のシフト画像信号との間の画像信号である１以上の補間フレーム信号を生成する（ステップＳ５２１）。
【０１３４】
次に、選択処理部３８は、第３のシフト画像信号と、この第３のシフト画像信号から１フレーム期間遅延した第４のシフト画像信号との間に補間フレーム生成部３６により生成された補間フレーム信号を出力させるように、補間フレーム信号をフレームメモリ３９に記憶させる（ステップＳ５２３）。
【０１３５】
そして、ＣＰＵ２２は、順次入力端子１１から供給され、フレームメモリ３９に記憶された第３のシフト画像信号と、第１のシフト画像信号または第２のシフト画像信号に基づいて順次生成され、フレームメモリ３９に記憶された補間フレーム信号とを交互に、１２０（Ｈｚ）で出力端子２０から出力することにより、２倍速かつ立体の映像を倍速３Ｄ画像として出力する（ステップＳ５２５）。
【０１３６】
以上のように、本発明の実施例４である画像表示装置４によれば、シフトレジスタ３４と、シフトレジスタ３５と、フレームメモリ３９とを共有して、入力端子１１からフレーム画像が供給される度に、倍速処理及び２Ｄ／３Ｄ処理を実行するので、倍速処理及び２Ｄ／３Ｄ処理のそれぞれでシフトレジスタ３４と、シフトレジスタ３５と、フレームメモリ３９とを備える必要がない。そのため、本発明の実施例４である画像表示装置４は、装置構成を大規模なものにすることなく、倍速画像かつ立体画像である倍速３Ｄ画像を出力することができる。
【０１３７】
なお、本発明の実施例４である画像表示装置４では、シフト選択部３３が、動きベクトル検出部１３により検出された動きベクトルと、シフト量決定部１６により決定された右目用のシフト量とを選択し、シフトレジスタ３４と、シフトレジスタ３５とに供給すると共に、シフト量決定部１６により決定された左目用のシフト量を選択し、シフトレジスタ３５に供給したが、これに限らず左右が逆にしてもよい。具体的には、シフト選択部３３が、動きベクトル検出部１３により検出された動きベクトルと、シフト量決定部１６により決定された左目用のシフト量とを選択し、シフトレジスタ３４と、シフトレジスタ３５とに供給すると共に、シフト量決定部１６により決定された右目用のシフト量を選択し、シフトレジスタ３５に供給するようにしてもよい。
【０１３８】
図１０は、シフト選択部３３によるシフトレジスタ３４及びシフトレジスタ３５への記憶を模式的に示した図である。
【０１３９】
図１０に示すように、シフトレジスタ３５は、シフト選択部３３により選択された左目用のシフト量に基づいて、第１のフレーム画像の所定の画素３５ａを８画素分シフトさせて第３のシフト画像信号（左目用のシフト画像信号）の画素３５ｂを得る。
【０１４０】
また、シフトレジスタ３５は、シフト選択部３３により選択された右目用のシフト量に基づいて、第１のフレーム画像の所定の画素３５ａを８画素分シフトさせて第１のシフト画像信号（右目用のシフト画像信号）の画素３５ｃを得て、さらに、動きベクトルに基づいて、４画素分シフトさせて補間フレーム画像の画素３５ｄを得る。
【０１４１】
一方、シフトレジスタ３４は、シフト選択部３３により選択された右目用のシフト量に基づいて、第２のフレーム画像の所定の画素３４ａを８画素分シフトさせて第２のシフト画像信号（右目用のシフト画像信号）の画素３４ｃを得て、さらに、動きベクトルに基づいて、４画素分シフトさせて補間フレーム画像の画素３４ｄを得る。
【０１４２】
図１１は、シフトレジスタ３４の記憶領域を模式的に説明した図である。
【０１４３】
図１１に示すように、利用者による操作部２３の操作に基づいて、第２のシフト画像信号及び動きベクトルのうちいずれか一方がシフトレジスタ３４に記憶される記憶領域の最大値として最大記憶容量が決定される。
【０１４４】
そして、この最大記憶容量が決定された場合、シフト選択部３３は、最大記憶容量を越えないように、第２のシフト画像信号及び動きベクトルのうちいずれか一方を記憶する。
【０１４５】
図１１（ａ）に示すように、倍速処理用に最大記憶容量が決定された場合、倍速処理用領域を最大限利用して動きベクトルを記憶する。このとき、図１１（ｂ）に示す記憶領域が倍速処理用の最大記憶容量となる。
【０１４６】
一方、図１１（ｄ）に示すように、２Ｄ／３Ｄ処理用に最大記憶容量が決定された場合、倍速処理用領域を最大限利用して第２のシフト画像信号を記憶する。このとき、図１１（ｃ）に示す記憶領域が２Ｄ／３Ｄ処理用の最大記憶容量となる。
【０１４７】
このように、シフト選択部３３は、外部入力に基づいて、第２のシフト画像信号及び動きベクトルのうちいずれか一方がシフトレジスタ３４に記憶される記憶領域の最大値として最大記憶容量が決定された場合、最大記憶容量を越えないように、第２のシフト画像信号及び動きベクトルのうちいずれか一方を記憶するので、さらに、シフトレジスタ３４の記憶領域を効率的に利用することができる。
【０１４８】
また、シフトレジスタ３５についても同様に、シフト選択部３３は、外部入力に基づいて、第１のシフト画像信号及び動きベクトルのうちいずれか一方が第２のシフトレジスタに記憶される記憶領域の最大値として最大記憶容量が決定された場合、最大記憶容量を越えないように、第１のシフト画像信号及び動きベクトルのうちいずれか一方を記憶する。
【実施例５】
【０１４９】
本発明の実施例４では、フレームメモリとシフトレジスタとを共有し、６０Ｈｚの入力信号に基づいて生成した２倍速３Ｄ画像を１２０Ｈｚの出力信号として出力する画像表示装置を例に挙げて説明したが、これに限らない。
【０１５０】
本発明の実施例５では、フレームメモリとシフトレジスタとを共有し、６０Ｈｚの入力信号に基づいて生成した４倍速３Ｄ画像を２４０Ｈｚの出力信号として出力する画像表示装置を例に挙げて説明する。
【０１５１】
＜画像表示装置の構成＞
図１２は、本発明の実施例５である画像表示装置５の構成を示した構成図である。なお、図１２では、画像信号の流れを実線で示し、制御信号の流れを破線で示している。
【０１５２】
画像表示装置５は、入力端子１１と、フレームメモリ１２と、動きベクトル検出部１３と、パターン検出部１５と、シフト量決定部１６と、出力端子２０と、ＣＰＵ２２と、操作部２３と、選択処理部３２と、シフト選択部３３と、シフトレジスタ４３と、シフトレジスタ３５と、選択処理部３７と、フレームメモリ３９と、補間フレーム生成部４０と、選択処理部４１とを備える。
【０１５３】
ここで、本発明の実施例５である画像表示装置５が備える構成のうち、入力端子１１と、フレームメモリ１２と、動きベクトル検出部１３と、パターン検出部１５と、シフト量決定部１６と、フレームメモリ３９と、出力端子２０と、ＣＰＵ２２と、操作部２３と、選択処理部３２と、シフトレジスタ３５と、選択処理部３７とは、それぞれ本発明の実施例４である画像表示装置４が備えるそれぞれ同一符号が付された構成と同一であるので、説明を省略する。
【０１５４】
シフトレジスタ４３は、シフト選択部３３により選択された一方のシフト量に基づいて、フレームメモリ１２により出力された第２のフレーム画像信号を主走査方向又は副走査方向の少なくとも一方向にシフトさせて第２のシフト画像信号として記憶すると共に、シフト選択部３３により選択された動きベクトルを記憶する。また、シフトレジスタ４３は、シフト選択部３３により選択された他方のシフト量に基づいて、フレームメモリ１２により出力された第２のフレーム画像信号を主走査方向又は副走査方向の少なくとも一方向にシフトさせて第４のシフト画像信号として記憶すると共に、シフト選択部３３により選択された動きベクトルを記憶する。
【０１５５】
補間フレーム生成部４０は、動きベクトルと、シフトレジスタ４３に記憶された第２のシフト画像信号とシフトレジスタ３５に記憶された第１のシフト画像信号とのうち少なくとも一方のシフト画像信号に基づいて、時系列的に第１のシフト画像信号と第２のシフト画像信号との間の画像信号である２つの補間フレーム信号とを生成すると共に、シフトレジスタ４３に記憶された第４のシフト画像信号とシフトレジスタ３５に記憶された第３のシフト画像信号とのうち少なくとも一方のシフト画像信号に基づいて、時系列的に第３のシフト画像信号と第４のシフト画像信号との間の画像信号である１つの補間フレーム信号を生成する。
【０１５６】
補間フレーム生成部４０は、６０Ｈｚの入力信号を２４０Ｈｚの出力信号として出力するため、補間フレーム生成部４０ａと、補間フレーム生成部４０ｂと、補間フレーム生成部４０ｃとを備えている。
【０１５７】
第２のシフト画像信号が供給された時点をｔ０とし、第１のシフト画像信号（右目用のシフト画像信号）が供給された時点をｔ４とし、ｔ０時点からｔ４時点までの時間をＴとすると、補間フレーム生成部４０ａは、第２のシフト画像信号と第１のシフト画像信号のうち少なくとも一方のシフト画像信号に基づいて、ｔ０時点から（１／４）Ｔだけ経過した時点であるｔ１時点における第１の補間フレーム信号（右目用のシフト画像信号）を生成する。
【０１５８】
補間フレーム生成部４０ｂは、第４のシフト画像信号と第３のシフト画像信号とのうち少なくとも一方のシフト画像信号に基づいて、ｔ０時点から（１／２）Ｔだけ経過した時点であるｔ１時点における第２の補間フレーム信号（左目用のシフト画像信号）を生成する。
【０１５９】
補間フレーム生成部４０ｃは、第２のシフト画像信号と第１のシフト画像信号のうち少なくとも一方のシフト画像信号に基づいて、ｔ０時点から（３／４）Ｔだけ経過した時点であるｔ３時点における第３の補間フレーム信号（右目用のシフト画像信号）を生成する。
【０１６０】
選択処理部４１は、モード選択判定部２２ａにより倍速２Ｄ／３Ｄモードが選択されたと判定した場合、第３のシフト画像信号と、第３のシフト画像信号から１フレーム期間遅延した第４のシフト画像信号との間に、補間フレーム生成部４０ａにより生成された第１の補間フレーム信号と、補間フレーム生成部４０ｂにより生成された第２の補間フレーム信号と、補間フレーム生成部４０ｃにより生成された第３の補間フレーム信号とを、第４のシフト画像信号、第１の補間フレーム信号、第２の補間フレーム信号、第３の補間フレーム信号、第３のシフト画像信号の順に出力させるように、第１の補間フレーム信号、第２の補間フレーム信号、及び第３の補間フレーム信号をフレームメモリ３９に記憶させる。
【０１６１】
以上のように、本発明の実施例５である画像表示装置５によれば、本発明の実施例４である画像表示装置４による効果に加え、４倍速画像かつ立体画像である４倍速３Ｄ画像を出力することができる。
【０１６２】
なお、本発明の実施例５では、フレームメモリとシフトレジスタとを共有し、６０Ｈｚの入力信号に基づいて生成した４倍速３Ｄ画像を２４０Ｈｚの出力信号として出力する画像表示装置を例に挙げて説明したが、４倍速画像に限らず、何倍でもよい。例えば、Ｎ倍速画像を出力するためには、（Ｎ−１）個の補間フレーム生成部を備える構成とすればよい。
【符号の説明】
【０１６３】
１，２，３，４，５…画像表示装置
１１…入力端子
１２，１９…フレームメモリ
１３…動きベクトル検出部
１４，３０，３０ａ，３０ｂ，３０ｃ，３６，４０，４０ａ，４０ｂ，４０ｃ…補間フレーム生成部
１５…パターン検出部
１６…シフト量決定部
１７，２６，２７，３４，３５…シフトレジスタ
１８，２４，２５，２８，２９，３１，３２，３７，３８，４１…選択処理部
３３…シフト選択部
２０…出力端子
２２…ＣＰＵ
２２ａ，２２ｂ…モード選択判定部
２３…操作部
【図１】
2011039475.tif 000003
【図２】
2011039475.tif 000004
【図３】
2011039475.tif 000005
【図４】
2011039475.tif 000006
【図５】
2011039475.tif 000007
【図６】
2011039475.tif 000008
【図７】
2011039475.tif 000009
【図８】
2011039475.tif 000010
【図９】
2011039475.tif 000011
【図１０】
2011039475.tif 000012
【図１１】
2011039475.tif 000013
【図１２】
2011039475.tif 000014